(57)【要約】【課題】即時加熱及び或いは冷却可能なウォーターサーバーを提供する。【解決手段】即時加熱及び或いは冷却可能なウォーターサーバーであって、操作パネル１４及び給水口１２を備える機台１０、貯水箱２０、汲水ポンプ３０、加熱及び或いは冷却ユニット４０を備える。使用者が、操作パネル１４を操作することで、飲料水は即時に加熱或いは冷却された後、機台１０の給水口１２より流出し、使用者は飲用することができる。保温或いは保冷貯水槽を設置することなく、熱水或いは冷水を得ることができるため、使用電力を大幅に低下させ、体積を縮小することができる。【選択図】図１
0003191902.tif 000002
【実用新案登録請求の範囲】
【請求項１】
即時加熱及び或いは冷却可能なウォーターサーバーであって、機台、貯水箱、汲水ポンプ、加熱及び或いは冷却ユニット、回路板からなり、
前記機台は、概ね立方体を呈し、前方は内側へと窪み、飲料水を充填できる水充填空間を設置し、前記水充填空間上方には、飲料水が流出する給水口を設置し、前記機台頂点面には、操作パネルを設置し、後方には、底台を延伸して設置し、
前記貯水箱は、前記機台後方の底台上に設置し、飲料水を保存し、前記貯水箱底部には、飲料水を流出させる汲水孔を備え、
前記汲水ポンプは、前記機台底部に設置し、前記貯水箱下方の汲水孔に接続し、これにより前記貯水箱内の飲料水は、前記汲水孔より汲水され、
前記加熱及び或いは冷却ユニットは、前記機台側辺に設置し、前記汲水ポンプと前記給水口との間に接続し、これにより前記加熱及び或いは冷却ユニットを流れる飲料水を、即時加熱或いは冷却し、
前記回路板は、前記機台底部に設置し、操作パネル、汲水ポンプ、加熱及び或いは冷却ユニットと電気的に連接し、前記操作パネル、前記汲水ポンプ、前記加熱及び或いは冷却ユニットの作動をコントロールでき、
使用者が、前記操作パネルを操作することで、前記汲水ポンプは、前記汲水孔により前記貯水箱内の飲料水を汲水し、しかも、飲料水は、前記加熱及び或いは冷却ユニットを流れることで、即時に加熱或いは冷却が行われ、前記機台の給水口より流出し、使用者は飲用できることを特徴とする即時加熱及び或いは冷却可能なウォーターサーバー。
【請求項２】
前記加熱及び或いは冷却ユニットは、密閉状のチャンバー、前記チャンバー外側面に重ねる加熱板或いは冷却板を備え、
前記チャンバー両端には、その中空部位を通して相互に連通する進水口、出水口をそれぞれ設置し、
前記進水口には、前記進水管を設置し、前記汲水ポンプと連接し、前記出水口には、出水管を設置し、前記機台の給水口と連接し、
飲料水は、前記貯水箱から流出し、前記チャンバー内を通過して、前記加熱板或いは冷却板の即時加熱或いは冷却を受けることを特徴とする請求項１に記載の即時加熱及び或いは冷却可能なウォーターサーバー。
【請求項３】
前記加熱及び或いは冷却ユニットはチャンバー内に、飲料水が均一に加熱或いは冷却されるようにする複数の乱気流リブ、或いは乱気流凸柱を設置し、
前記複数の乱気流リブ、或いは乱気流凸柱は、間隔を開けて配列されることを特徴とする請求項２に記載の即時加熱及び或いは冷却可能なウォーターサーバー。
【請求項４】
前記加熱及び或いは冷却ユニットは、前記チャンバーにおいて、前記加熱板或いは冷却板の片側に対応して、若干の固定孔或いは固定柱を設置し、
前記加熱板或いは冷却板上には、前記固定孔或いは固定柱と対応し、両者を相互に重ねて固定する定位孔を設置することを特徴とする請求項２に記載の即時加熱及び或いは冷却可能なウォーターサーバー。
【請求項５】
前記加熱及び或いは冷却ユニットは、密閉状の第一チャンバー、前記第一チャンバー外側面に重ねる加熱板、密閉状の第二チャンバー、前記第二チャンバー外側面に重ねる冷却板を備え、
しかも、前記第一、第二チャンバー両端には、その中空部位を通して相互に連通する進水口、出水口をそれぞれ設置し、
前記進水口には、それぞれ進水管を設置し、前記汲水ポンプと連接し、
前記出水口には、それぞれ出水管を設置し、前記機台の給水口と連接し、
使用者は、前記操作パネルを通して選択することで、前記第一チャンバー内を流れる飲料水に加熱板の即時加熱を受けさせるか、前記第二チャンバー内を流れる飲料水に冷却板の即時冷却を受けさせるかを、コントロールできることを特徴とする請求項１に記載の即時加熱及び或いは冷却可能なウォーターサーバー。
【請求項６】
前記第一、第二チャンバーの進水管と汲水ポンプとの間には、三口二位電磁バルブを設置し、
前記操作パネルを通して、前記三口二位電磁バルブを制御し、前記第一チャンバーの進水管と、前記汲水ポンプとを連通するよう切り換え、或いは前記第二チャンバーの進水管と、前記汲水ポンプとを連通するよう切り換えることを特徴とする請求項５に記載の即時加熱及び或いは冷却可能なウォーターサーバー。
【請求項７】
前記加熱及び或いは冷却ユニットの第一、第二チャンバー内には、飲料水が均一に加熱或いは冷却されるようにする複数の乱気流リブ、或いは乱気流凸柱をそれぞれ設置し、
前記複数の乱気流リブ、或いは複数の乱気流凸柱は、間隔を開けて配列することを特徴とする請求項５に記載の即時加熱及び或いは冷却可能なウォーターサーバー。
【請求項８】
前記貯水箱にはさらに、前記貯水箱外側に設置し、前記貯水箱を持ち上げることができるハンドル、前記貯水箱開口に蓋をする上蓋を備えることを特徴とする請求項１又は請求項２又は請求項３又は請求項４又は請求項５又は請求項６又は請求項７に記載の即時加熱及び或いは冷却可能なウォーターサーバー。
【請求項９】
前記貯水箱内にはさらに、飲料水をろ過するろ過器を設置することを特徴とする請求項８に記載の即時加熱及び或いは冷却可能なウォーターサーバー。
【請求項１０】
前記貯水箱は、透明材質で、前記機台は、前記底台上に、前記貯水箱に対して光を照射する照明灯を設置し、
前記照明灯と前記回路板とは電気的に連接し、前記照明灯は、前記加熱及び或いは冷却ユニットが作動すると、前記貯水箱に対して光を照射することを特徴とする請求項１又は請求項２又は請求項３又は請求項４又は請求項５又は請求項６又は請求項７に記載の即時加熱及び或いは冷却可能なウォーターサーバー。
【考案の詳細な説明】
【技術分野】
【０００１】
本考案は、ウォーターサーバーに関し、保温或いは保冷貯水槽を設置しなくとも、必要な時に直ちに熱水或いは冷水を得ることができる即時加熱及び或いは冷却可能なウォーターサーバーに関する。
【背景技術】
【０００２】
従来のウォーターサーバーは、温度のさまざまな煮沸済み水を提供することができる。
その構造は、飲料水を煮沸する加熱ユニット、熱水を冷却する冷却ユニット、熱水や温水や冷水をそれぞれ保温或いは保冷する複数の貯水槽、保温或いは保冷貯水槽の温度状況を感知する水温感知ユニットからなる。
ウォーターサーバーの作動時には、飲料水は、先ず加熱ユニットにより煮沸され、次に、熱水保温貯水槽中で保存される。
熱水は次に、管路を経由して冷却ユニットを通過し冷却を行った後、温水保温貯水槽或いは冷水保冷貯水槽に保存される。
これにより、使用者は各保温或いは保冷貯水槽中から、温度がさまざまな煮沸済み水を得ることができる。
【０００３】
従来のウォーターサーバーの水温感知ユニットは、いつでも、各保温或いは保冷貯水槽に対して温度探知を行うことができる。
例えば、熱水保温貯水槽の温度が足りない、或いは冷水保冷貯水槽の温度が高過ぎることを感知すると、加熱ユニット或いは冷却ユニットを起動し、加熱或いは冷却を行う。
このため、ウォーターサーバーは、常に運転状態となり、消費電力が増加してしまう。
さらに、ウォーターサーバー内に設置する３個の貯水槽は、体積が大きく、場所を取るという欠点もある。
【０００４】
そのため、即熱式ウォーターサーバーが開発された。
即熱式ウォーターサーバーは、機台上に設置し、飲料水を保存する貯水桶、飲料水を貯水桶から汲水する汲水ポンプ、飲料水を即時過熱する電加熱器、給水口を備える。
使用者は、即熱式ウォーターサーバー上のコントロールボタンを操作すれば、電加熱器を流れる飲料水を即時に加熱でき、これにより使用者は給水口から熱水を得ることができる。
【０００５】
特許文献１は、即熱式ウォーターサーバーに応用する電加熱器を開示する。
電加熱器は、金属ハウジングで、ハウジング上には、進水管と出水管を設置する。
ハウジングは、上殻、下殻が相互に結合して密封し構成される。
上殻表面には、加熱回路板をプリントし、ハウジングを流れる飲料水を即時加熱することができる。
しかも、下殻は、上殻、下殻の間に、内部空間を隔離して迂回水道を形成するサポートリブを設置する。
【０００６】
実際の生産時には、電加熱器は、ステンレス材質を使用する。
ステンレスは、添加する元素比率に基づきさまざまな規格がある。
中でも、食品応用では、ＳＵＳ４３０、３０４、３１６などの規格が採用される。
ＳＵＳ４３０の価格が最も安価で、ＳＵＳ３０４と３１６に比べ、表面への回路板のプリントが容易である。
また、ＳＵＳ３０４、３１６は、ＳＵＳ４３０に比べ、より良好な耐酸/アルカリ特性を備える。
しかし、ＳＵＳ３０４、３１６の価格は、ＳＵＳ４３０に比べ非常に高く、表面への回路板のプリントも容易でない。
【０００７】
業界では製造コストを削減するため、電加熱器の上蓋にＳＵＳ４３０規格のステンレスを採用し、下蓋にＳＵＳ３０４或いは３１６規格のステンレスを採用し、ＳＵＳ４３０の上蓋表面への加熱回路のプリントの便を図っている。
しかし、電加熱器の加熱過程において、ＳＵＳ４３０規格のステンレスでは、マンガン金属が容易に溶け出し、飲料水中に混入し、人体に危害を加える恐れがある。
けれども、ＳＵＳ３０４或いは３１６規格の印刷回路板に換えれば、製造コストが高騰し、印刷処理過程が複雑になってしまう。
上述のように、食品衛生安全と低い製造コストの両者を並び立たせることができない。
【０００８】
本考案は、上述の問題に鑑みてなされたものであり、その目的は、保温或いは保冷を維持するために消費電力が莫大で、また体積が大きく、及び電加熱器構造に使用するステンレスから、マンガンが飲料水中に溶け出してしまうという従来のウォーターサーバーに存在する欠点を解決することができる。
【先行技術文献】
【特許文献】
【０００９】
【特許文献１】中国特許第ＣＮ２０１７７９８６１号明細書
【考案の概要】
【考案が解決しようとする課題】
【００１０】
本考案の目的は即時加熱及び或いは冷却可能なウォーターサーバーを提供することにある。即時加熱及び或いは冷却可能なウォーターサーバーは保温或いは保冷貯水槽を設置することなく、使用者は操作パネルを操作することで、熱水或いは冷水を直ちに得ることができるため、使用電力を大幅に低下させ、体積を縮小することができる。
【課題を解決するための手段】
【００１１】
本考案による即時加熱及び或いは冷却可能なウォーターサーバーは、機台、貯水箱、汲水ポンプ、加熱及び或いは冷却ユニット、回路板からなる。
機台は、概ね立方体を呈し、前方は内側へと窪み、飲料水を充填できる水充填空間を設置し、水充填空間上方には、飲料水が流出する給水口を設置し、機台頂点面には、操作パネルを設置し、後方には、底台を延伸して設置する。
貯水箱は、機台後方の底台上に設置し、飲料水を保存し、貯水箱底部には、飲料水を流出させる汲水孔を備える。
汲水ポンプは、機台底部に設置し、貯水箱下方の汲水孔に接続し、これにより貯水箱内の飲料水は、汲水孔より汲水される。
加熱及び或いは冷却ユニットは、機台側辺に設置し、汲水ポンプと給水口との間に接続し、これにより加熱及び或いは冷却ユニットを流れる飲料水を、即時加熱或いは冷却する。
回路板は、機台底部に設置し、操作パネル、汲水ポンプ、加熱及び或いは冷却ユニットと電気的に連接し、操作パネル、汲水ポンプ、加熱及び或いは冷却ユニットの作動をコントロールできる。
使用者が、操作パネルを操作することで、汲水ポンプは、汲水孔により貯水箱内の飲料水を汲水し、しかも、飲料水は、加熱及び或いは冷却ユニットを流れることで、即時に加熱或いは冷却が行われ、機台の給水口より流出し、使用者は飲用できる。
保温或いは保冷貯水槽を設置することなく、熱水或いは冷水を直ちに得ることができるため、使用電力を大幅に低下させ、体積を縮小することができる。
【００１２】
実施時には、加熱及び或いは冷却ユニットは、密閉状のチャンバー、チャンバー外側面に重ねる加熱板或いは冷却板を備える。
チャンバー両端には、その中空部位を通して相互に連通する進水口、出水口をそれぞれ設置する。
進水口には、進水管を設置し、汲水ポンプと連接し、出水口には、出水管を設置し、機台の給水口と連接する。
飲料水は、貯水箱から流出し、チャンバー内を通過して、加熱板或いは冷却板の即時加熱或いは冷却を受ける。
【００１３】
加熱板或いは冷却板は、チャンバー外側面に重ねるため、チャンバー内の飲料水に対して即時に加熱或いは冷却を行うことができる。
さらにこれにより、飲料水がチャンバーを流れ通る時、加熱板或いは冷却板に直接接触することがないため、加熱或いは冷却の作動過程において、加熱板或いは冷却板上の重金属成分が、水中に溶け出し、人体に危害を及ぼすことを回避できる。
【００１４】
実施時には、加熱及び或いは冷却ユニットは、密閉状の第一チャンバー、第一チャンバー外側面に重ねる加熱板、密閉状の第二チャンバー、第二チャンバー外側面に重ねる冷却板を備える。
しかも、第一、第二チャンバー両端には、その中空部位を通して相互に連通する進水口、出水口をそれぞれ設置する。
進水口には、それぞれ進水管を設置し、汲水ポンプと連接し、出水口には、それぞれ出水管を設置し、機台の給水口と連接する。
使用者は、操作パネルを通して選択することで、第一チャンバー内を流れる飲料水に加熱板の即時加熱を受けさせるか、第二チャンバー内を流れる飲料水に冷却板の即時冷却を受けさせるかを、コントロールできる。
【００１５】
実施時には、貯水箱は、透明材質で、機台の底台には、貯水箱に対して光を照射する照明灯を設置する。
照明灯と回路板とは電気的に連接し、照明灯は、加熱及び或いは冷却ユニットが加熱機能を行う時に赤色光を点灯し、冷却機能を行う時には青色光を点灯する。
こうして、使用者は、給水口が熱水を供給するか、冷水を供給するかを、はっきりと識別でき、投光の変化により美的効果を発揮することもできる。
【考案の効果】
【００１６】
従来の技術と比較し、本考案は以下の長所を備える。
１.保温或いは保冷貯水槽を設置することなく、使用者は操作パネルを操作することで、熱水或いは冷水を直ちに得ることができるため、使用電力を大幅に低下させ、体積を縮小することができる。
２.加熱板或いは冷却板は、チャンバー外部に重ねるため、飲料水が加熱及び或いは冷却ユニットを流れ通る時、加熱板或いは冷却板に直接接触することがないため、加熱或いは冷却の作動過程において、加熱板或いは冷却板上の重金属成分が、水中に溶け出し、人体に危害を及ぼすことを回避でき、食品衛生安全と低い製造コストの両者を並び立たせることができる。
【図面の簡単な説明】
【００１７】
【図１】本考案の立体外観図である。
【図２】本考案の立体分解図である。
【図３】本考案第一実施形態による加熱及び或いは冷却ユニットの模式図である。
【図４】本考案第二実施形態による加熱及び或いは冷却ユニットの模式図である。
【図５】本考案のチャンバーと加熱板或いは冷却板の立体分解図である。
【図６】本考案のチャンバーと加熱板或いは冷却板の組合せ模式図である。
【図７】本考案第三実施形態による加熱及び或いは冷却ユニットの模式図である。
【図８】本考案第四実施形態による加熱及び或いは冷却ユニットの模式図である。
【考案を実施するための形態】
【００１８】
本考案の一実施形態による即時加熱及び或いは冷却可能なウォーターサーバーを図面に基づいて説明する。
図１、２に示すように、機台１０、貯水箱２０、汲水ポンプ３０、加熱及び或いは冷却ユニット４０、回路板５０からなる。
【００１９】
機台１０は、概ね立方体を呈し、前方は内側へと窪み、飲料水を充填できる水充填空間１１を設置する。
水充填空間１１上方には、飲料水が流出する給水口１２、下方には、集水盤１３を設置する。
機台１０頂点面には、操作パネル１４を設置し、後方には、底台１５を延伸して設置する。
底台１５上には、貯水箱２０を設置する。
【００２０】
貯水箱２０は、飲料水を保存し、しかも底部には、飲料水を流出させる汲水孔２１を備える。
汲水ポンプ３０は、機台１０底部に設置し、貯水箱２０下方の汲水孔２１に接続する。
これにより、貯水箱２０内の飲料水は、汲水孔２１より汲水される。
貯水箱２０内にはさらに、飲料水をろ過するろ過器２２を設置する。
これにより、貯水箱２０内の飲料水は先ずろ過された後、汲水孔２１より汲水される。
当然一実施形態として、家庭用ろ過器の出水口を、直接貯水箱２０に接続することもできる。
【００２１】
加熱及び或いは冷却ユニット４０は、機台１０側辺に設置し、汲水ポンプ３０と給水口１２との間に接続する。
これにより、加熱及び或いは冷却ユニット４０を流れる飲料水を、即時加熱或いは冷却する。
【００２２】
回路板５０は、機台１０底部に設置し、操作パネル１４、汲水ポンプ３０、加熱及び或いは冷却ユニット４０と電気的に連接し、操作パネル１４、汲水ポンプ３０、加熱及び或いは冷却ユニット４０の作動をコントロールすることができる。
【００２３】
上述した構造により、使用者は操作パネル１４を操作することで、汲水ポンプ３０は、汲水孔２１により貯水箱２０内の飲料水を汲水することができる。
しかも、飲料水は、加熱及び或いは冷却ユニット４０を流れることで、即時に加熱或いは冷却が行われ、機台１０の給水口１２より、流出する。
こうして、使用者は飲用でき、保温或いは保冷貯水槽を設置することなく、熱水或いは冷水を直ちに得ることができるため、使用電力を大幅に低下させ、体積を縮小することができる。
【００２４】
図２〜４に示すように、加熱及び或いは冷却ユニット４０は、密閉状のチャンバー４１、チャンバー４１外側面に重ねる加熱板或いは冷却板４２を備える。
チャンバー４１両端には、その中空部位を通して相互に連通する進水口４３、出水口４４をそれぞれ設置する。
進水口４３には、進水管４３１を設置し、汲水ポンプ３０と連接する。
出水口４４には、出水管４４１を設置し、機台１０の給水口１２と連接する。
こうして、飲料水は、貯水箱２０から流出し、チャンバー４１内を通過して、加熱板或いは冷却板４２の即時加熱或いは冷却を受けることができる。
【００２５】
図示のように、加熱及び或いは冷却ユニット４０はチャンバー４１内に、飲料水が均一に加熱或いは冷却されるようにする複数の乱気流リブ４５、或いは乱気流凸柱４６を設置する。
複数の乱気流リブ４５、或いは乱気流凸柱４６は、間隔を開けて配列し、これにより飲料水はチャンバー４１内においてかき混ぜられ、加熱或いは冷却を加速することができる。
【００２６】
加熱板或いは冷却板４２は、チャンバー４１外側面に重ねるため、チャンバー４１内の飲料水に対して即時に加熱或いは冷却を行うことができる。
さらにこれにより、飲料水がチャンバー４１を流れ通る時、加熱板或いは冷却板４２に直接接触することがないため、加熱或いは冷却の作動過程において、加熱板或いは冷却板４２上の重金属成分が、水中に溶け出し、人体に危害を及ぼすことを回避できる。
【００２７】
さらに、図５、６に示すように、加熱及び或いは冷却ユニット４０は、チャンバー４１において、加熱板或いは冷却板４２の片側に対応して、若干の固定孔或いは固定柱４１１を設置する。
加熱板或いは冷却板４２上には、若干の固定孔或いは固定柱４１１と対応し、両者を相互に重ねて固定する定位孔４２１を設置する。
これにより、チャンバー４１を、加熱板或いは冷却板４２と重ねた後、ナット或いはリベットにより螺合或いはリベット固定を行うことができる。
こうして、加熱及び或いは冷却ユニット４０が熱で膨張し、或いは冷えて収縮することにより、加熱板或いは冷却板４２がチャンバー４１から脱落することを防止可能である。
実施時には、固定孔或いは固定柱４１１は、加熱及び或いは冷却ユニット４０のチャンバー４１外部に直接設置し、或いはチャンバー４１周囲から辺枠４１２を延伸し、これにより、固定孔或いは固定柱４１１を設置することができる。
【００２８】
図７、８に示すように、加熱及び或いは冷却ユニット４０は同時に、加熱と冷却の機能を備える。
加熱及び或いは冷却ユニット４０は、密閉状の第一チャンバー４１ａ、第一チャンバー４１ａ外側面に重ねる加熱板４２ａ、密閉状を呈する第二チャンバー４１ｂ、第二チャンバー４１ｂ外側面に重ねる冷却板４２ｂを備える。
しかも、第一チャンバー４１ａ、第二チャンバー４１ｂの両端には、その中空部位を通して、相互に蓮通する進水口４３ａ、４３ｂと出水口４４ａ、４４ｂをそれぞれ設置する。
各進水口４３ａ、４３ｂには、進水管４３１ａ、４３１ｂをそれぞれ設置し、汲水ポンプ３０と連接する。
各出水口４４ａ、４４ｂには、出水管４４１ａ、４４１ｂをそれぞれ設置し、機台１０の給水口１２と連接する。
使用者は、操作パネル１４を通して選択することで、第一チャンバー４１ａ内を流れる飲料水に加熱板４２ａの即時加熱を受けさせるか、第二チャンバー４２ｂ内を流れる飲料水に冷却板４２ｂの即時冷却を受けさせるかを、コントロールすることができる。
【００２９】
図示のように、第一チャンバー４１ａの進水管４３１ａ、第二チャンバー４１ｂの進水管４３１ｂと汲水ポンプ３０との間には、三口二位電磁バルブ４７を設置する。
操作パネル１４を通して、三口二位電磁バルブ４７を制御し、第一チャンバー４１ａの進水管４３１ａと、汲水ポンプ３０とを連通するよう切り換え、或いは第二チャンバー４１ｂの進水管４３１ｂと、汲水ポンプ３０とを連通するよう切り換える。
【００３０】
使用者が熱水の飲用を選択する時には、操作パネル１４により、三口二位電磁バルブ４７を、第一チャンバー４１ａの進水管４３１ａと汲水ポンプ３０とを連通するように切り換える。
こうして、飲料水は第一チャンバー４１ａ内に流入し加熱が行われる。
反対に、使用者が冷水の飲用を選択する時には、三口二位電磁バルブ４７を、第二チャンバー４１ｂの進水管４３１ｂと汲水ポンプ３０とを連通するように切り換える。
こうして、飲料水は第二チャンバー４１ｂ内に流入し加熱が行われる。
【００３１】
同様に、加熱及び或いは冷却ユニット４０の第一チャンバー４１ａと第二チャンバー４１ｂ内には、飲料水が均一に加熱或いは冷却されるようにする複数の乱気流リブ４５ａ、４５ｂ、或いは乱気流凸柱４６ａ、４６ｂをそれぞれ設置する。
複数の乱気流リブ４５ａ、４５ｂ、或いは乱気流凸柱４６ａ、４６ｂは、間隔を開けて配列し、これにより飲料水は、チャンバー４１内において、かき混ぜられ、加熱或いは冷却の時間が短縮される。
【００３２】
図２に示すように、貯水箱２０は、透明材質で、さらに貯水箱２０外側に設置し、貯水箱２０を持ち上げることができるハンドル２３、貯水箱２０開口に蓋をする上蓋２４を備える。
機台１０は、底台１５上に、貯水箱２０に対して光を照射する照明灯６０を設置する。
照明灯６０と回路板５０とは電気的に連接し、照明灯６０は、加熱及び或いは冷却ユニット４０において、加熱機能を行う時に赤色光を点灯し、冷却機能を行う時には、青色光を点灯する。
こうして、使用者は、給水口１２が熱水を供給するか、冷水を供給するかを、はっきりと識別でき、投光の変化により美的効果を発揮することもできる。
【００３３】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００３４】
１０  機台
１１  水充填空間
１２  給水口
１３  集水盤
１４  操作パネル
１５  底台
２０  貯水箱
２１  汲水孔
２２  ろ過器
２３  ハンドル
３０  汲水ポンプ
４０  加熱及び或いは冷却ユニット
４１  チャンバー
４１１  固定孔或いは固定柱
４１２  辺枠
４１ａ  第一チャンバー
４１ｂ  第二チャンバー
４２  加熱板或いは冷却板
４２１  定位孔
４２ａ  加熱板
４２ｂ  冷却板
４３  進水口
４３ａ、４３ｂ  進水口
４３１  進水管
４３１ａ、４３１ｂ  進水管
４４  出水口
４４ａ、４４ｂ  出水口
４４１  出水管
４４１ａ、４４１ｂ  出水管
４５  乱気流リブ
４５ａ、４５ｂ  乱気流リブ
４６  乱気流凸柱
４６ａ、４６ｂ  乱気流凸柱
４７  三口二位電磁バルブ
５０  回路板
６０  照明灯
【図１】
0003191902.tif 000003
【図２】
0003191902.tif 000004
【図３】
0003191902.tif 000005
【図４】
0003191902.tif 000006
【図５】
0003191902.tif 000007
【図６】
0003191902.tif 000008
【図７】
0003191902.tif 000009
【図８】
0003191902.tif 000010